(57)【要約】【課題】リングネットワーク上で単一障害が発生したときのBLSR切替に対応すると共に、複数障害が発生したときのBLSR切替に対応するためにスケルチ処理を行う際の信号伝送方法及び装置において、リングネットワーク上を伝達する情報量をできるだけ少なくする。【解決手段】リングネットワーク上のチャネル群の内の所定チャネルに対するスケルチ情報用オーバヘッドに設定されたNUT情報を抽出し、該抽出したNUT情報に基づいて該所定チャネルに対するNUTテーブルを構築する。さらに、該NUT情報を外部から入力してスケルチ情報用オーバヘッドに設定し、このスケルチ情報用オーバヘッドを含むフレームを、一の伝送装置が該リングネットワーク上に送信し、他の伝送装置が該リングネットワークから受信して転送する。【選択図】図1
2007088961.tif 000002
【特許請求の範囲】
【請求項１】
リングネットワーク上のチャネル群の内の所定チャネルに対するスケルチ情報用オーバヘッドに設定されたNUT情報を抽出する第１ステップと、
該抽出したNUT情報に基づいて該所定チャネルに対するNUTテーブルを構築する第２ステップと、
を備えたことを特徴とする信号伝送方法。
【請求項２】
請求項１において、
該NUT情報を外部から入力してスケルチ情報用オーバヘッドに設定し、このスケルチ情報用オーバヘッドを含むフレームを、該リングネットワーク上に送信する第３ステップをさらに備えたことを特徴とする信号伝送方法。
【請求項３】
リングネットワーク上のチャネル群の内の所定チャネルに対するスケルチ情報用オーバヘッドに設定されたNUT情報を抽出する第１手段と、
該抽出したNUT情報に基づいて該所定チャネルに対するNUTテーブルを構築する第２手段と、
を備えたことを特徴とする信号伝送装置。
【請求項４】
請求項３において、
該NUT情報を外部から入力してスケルチ情報用オーバヘッドに設定し、このスケルチ情報用オーバヘッドを含むフレームを、該リングネットワーク上に送信する第３手段をさらに備えたことを特徴とする信号伝送装置。
【請求項５】
請求項４において、
該スケルチ情報用オーバヘッドを含むフレームを、該リングネットワークから受信して転送する第４手段を備えたことを特徴とする信号伝送装置。
【発明の詳細な説明】
【技術分野】
【０００１】
本発明は、信号伝送方法及び装置に関し、特にリングネットワーク上で発生する回線障害に対して、この回線障害を回避してリングネットワーク上を伝達する信号の救済を行う信号伝送方法及び装置に関するものである。
【背景技術】
【０００２】
上記のような回線障害を回避して信号救済可能にする信号伝送技術としては、従来より、以下に示すBLSR(Bi-directional Line Switched Ring)が用いられている。
【０００３】
BLSR：
BLSRは、SONETにおいて通常使用する現用帯域と、回線障害発生時の迂回経路として使用する予備帯域の両方を備えたリングネットワーク技術であり、回線障害に対する経路の切替機能(以下、BLSR切替と称する。) を有している。
【０００４】
次に、このBLSR切替について、図14及び15を参照して説明する。
【０００５】
図12及び13は共に、例えば４つの伝送装置N1〜N4を、光ファイバFBでリング状に接続したリングネットワークの構成を示しており、伝送装置N1-N4間で、それぞれ、回線障害CF1及びCF2が発生した場合を扱っている。
【０００６】
ここで、図12に示すリングネットワークは、1本の光ファイバ内に現用帯域WBと予備帯域PBとを割り付け、且つこの光ファイバを現用系と予備系の計2本の光ファイバFB1及びFB2を用いており、2 Fiber BLSR(以下、BLSR(2F)と称する。)と呼ばれている。
【０００７】
また、図13に示すリングネットワークは、現用帯域WBと予備帯域PBとを、それぞれ1本ずつ、計2本の光ファイバ内に割り付け、且つこの光ファイバを現用系と予備系の計4本の光ファイバFB1〜FB4を用いており、4 Fiber BLSR(以下、BLSR(4F)と称する。)と呼ばれている。
【０００８】
図12及び13に示した回線障害CF1及びCF2を回避して信号救済するためのBLSR切替は、それぞれリング切替及びスパン切替と呼ばれており、以下、それぞれについて説明する。
【０００９】
(1) リング切替：
図12に示すBLSR(2F)を用いたリングネットワーク構成において、実線(a)で示すように、例えばチャネル001に対するSONET信号SSが伝送装置N1から挿入(Add)され、伝送装置N4を経由して伝送装置N3で分岐出力(Drop)されているとする。
【００１０】
このような状態で、伝送装置N1-N4間で光ファイバFB1に回線障害CF1が発生すると、現用帯域WB及び予備帯域PBの両方が使用できなくなるため、伝送装置N1及びN4がこの回線障害CF1を認識して図示のような切替動作を行う。従って、伝送装置N1から挿入されたSONET信号SSは、宛先の伝送装置N3に向けて、点線(b)で示すように伝送装置N1→伝送装置N2→伝送装置N3→伝送装置N4→伝送装置N3という経路で、回線障害CF1を回避するようにリングネットワーク上を周回する“リング切替”を行う。
【００１１】
(2) スパン切替：
図13に示すBLSR(4F)を用いたリングネットワーク構成において、実線(a)で示すように、例えばチャネル001に対するSONET信号SSが伝送装置N1から挿入され、伝送装置N4を経由して伝送装置N3で分岐出力されているとする。
【００１２】
このような状態で、伝送装置N1-N4間で光ファイバFB1(現用帯域)に回線障害CF2が発生した場合、伝送装置N1及びN4がこの回線障害CF1を認識するが、光ファイバFB2(予備帯域)は使用できることを認識するため、点線(b)で示すように伝送装置N1から挿入されたSONET信号SSは、宛先の伝送装置N3に向けて、伝送装置N1→光ファイバFB2(予備帯域)→伝送装置N4→光ファイバFB1(現用帯域)→伝送装置N3という経路で、回線障害CF2を回避するよう帯域を切り替える“スパン切替”を行う。
【００１３】
尚、図示しないが、BLSR(4F)を用いたリングネットワーク構成においては、上記(1)と同様にリング切替を行うことも可能である。
【００１４】
一方、近年の伝送装置は、上記のSONET信号以外にも多種多様な信号形式をサポートすることが可能となっており、例えばIPパケットもサポート対象となる。
【００１５】
IPパケットは、パケット単位でルーティングが可能であるため、リングネットワーク上でどのような経路を通って伝達するかをトラフィック又は障害に応じて自律的に決定することができる。
【００１６】
IPパケットルーティング：
このIPパケットによるルーティングを、図12のリングネットワーク構成を示す図14を例に取って以下に説明する。尚、図13のリングネットワーク構成においても同様である。
【００１７】
図14の実線(a)で示すように、例えばチャネル002に対するIPパケットIPPが伝送装置N1から挿入され、伝送装置N4を経由して伝送装置N3で出力されているとする。
【００１８】
このような状態で、伝送装置N1−N4間で光ファイバFB1に回線障害CF1が発生した場合、点線(b)で示すように、IPパケットIPPは自律的に、すなわちコネクションレスでこの回線障害CF1を回避して、伝送装置N1→伝送装置N2→伝送装置N3という経路で伝達される。
【００１９】
このように、IPパケットIPPは自律的にルーティングが可能であるため、上述した各伝送装置で作動するBLSR切替(1)及び(2)は必要無く、逆にBLSR切替を行ってしまうと、IPパケットルーティングを混乱させてしまう恐れがある。
【００２０】
そこで、図12及び13に示したようにSONET信号を伝達させるチャネルは、BLSR切替によって回線障害からの信号救済を行い、図14に示したようにIPパケットを伝達させるチャネルは、BLSR切替を行わずIPパケットルーティングによって回線障害からの信号救済を行った方が良いというニーズが生じる。
【００２１】
このニーズを実現する技術が、NUT(Non-preemptiable Unprotected Traffic)であり、リングネットワーク上の所定チャネルに関してBLSR切替を無効にすることが可能である。
【００２２】
NUT：
このNUT技術においては、リングネットワーク上の各チャネルに対してBLSR切替を有効/無効に設定するためのNUT情報を登録したNUTテーブルを各伝送装置間で共有すると共に、各伝送装置がNUTテーブルに設定されるNUT情報に基づいて各チャネルのBLSR切替の有効/無効制御を行っている。
【００２３】
以下、このNUTテーブルについて図15を参照して説明する。
【００２４】
図15は、例えばOC192光ファイバ(以下の説明においては、断りのない限りこの光ファイバを用いるものとする。)のチャネル001〜192の各々に対するNUT情報を設定したNUTテーブルの構成例を示す。
【００２５】
例えば、チャネル001,003,097,及び099は、伝送装置N1〜N4が共にリング切替無効に設定されている。
【００２６】
しかしながら、このNUTテーブルを各伝送装置間で共有するためには、現状では、ユーザが手動で各伝送装置に対して設定を行い、NUTテーブルを構築している。
【００２７】
このため、或る伝送装置に対するNUTテーブルへの設定ミスによりミスコネクションを誘発してしまうという危険性やNUTテーブルの構築に多大な工数を必要とするという問題がある。
【００２８】
一方、図12に示したBLSR(2F)を用いたリングネットワーク構成において、図16に示す如く、伝送装置N1-N4間の回線障害CF1に加え、さらに伝送装置N1-N2間で回線障害CF3が発生した場合、BLSR切替では信号救済を行うことができず、この場合でもBLSR切替を実行するとミスコネクションが生じることがある。実線(a)で示すように、通常動作時は、チャネル001に対するSONET信号SSが伝送装置N1で挿入され、伝送装置N4を経由して伝送装置N3で分岐出力されている状態で、回線障害CF1及びCF3が発生したとき、両回線障害CF1及びCF3は伝送装置N1,N2,N4の各々で検知されるため、点線(b)で示すように、チャネル001において、例えば伝送装置N2から伝送装置N1へ向うSONET信号SSは、伝送装置N2によってループバックされ、このループバックされたSONET信号SSは、やはりループバックに設定された伝送装置N4を経由して伝送装置N3に到達してしまう。
【００２９】
これに対処するため、各伝送装置は、自ら挿入/分岐出力信号を潰すスケルチ処理機能を有している。
【００３０】
スケルチ処理機能：
このようなスケルチ処理機能を果たすために、図17に示すスケルチテーブルを用いる。
【００３１】
このスケルチテーブルは、リングネットワーク上の各チャネルに対するスケルチ情報を設定したもので、例えばチャネル001に対して、図16の例のように、SONET信号SSが伝送装置N1で挿入され、伝送装置N4を経由して伝送装置N3で分岐出力されるように設定されている場合、伝送装置N1及びN3において、それぞれ挿入及び分岐出力される信号にALL1を設定してそれらの信号を潰す“スケルチ処理”を実行するためのものである。
【００３２】
このように、上述のリングネットワークにおいては、NUT技術とスケルチ処理機能の両方が必要であり、両者を同時に実行する技術が既に提案されている(例えば、特許文献1参照。)。
【００３３】
すなわち、この特許文献1では、図18に示すように、フレームに専用のオーバヘッド(以下、スケルチ情報用オーバヘッドと称する。)を付加しスケルチ情報として各伝送装置間で伝達することによって各伝送装置間で共通のスケルチテーブルを構築すると同時に、このスケルチ情報用オーバヘッドと共に追加領域を用いてさらにNUTテーブルをリングネットワーク内に伝達し、各伝送装置間で共通のNUTテーブルも併せて構築するようにしたものである。
【特許文献１】特開2003-87279号公報
【発明の開示】
【発明が解決しようとする課題】
【００３４】
上記の特許文献1は、NUTテーブルをリングネットワーク上で伝達するためにスケルチ情報用オーバヘッドに新たな領域(NUT種別、NUTテーブルの中継方向、NUTテーブルを格納するフレーム中のデータ領域アドレス等を設定するヘッダ領域として使用した領域)を追加しており、また、NUTテーブル自体をフレーム中のデータ領域に格納して伝達している。
【００３５】
この場合、リングネットワーク上で管理する伝送装置の増設又はチャネルの増設に伴って、NUTテーブルサイズが増大するため、伝達する情報量が増大してリングネットワーク内リソースの圧迫及び各伝送装置における処理負荷を生じさせるという課題がある。
【００３６】
従って、本発明は、リングネットワーク上で単一障害が発生したときのBLSR切替に対応すると共に、複数障害が発生したときのBLSR切替に対応するためにスケルチ処理を行う際の信号伝送方法及び装置において、リングネットワーク上を伝達する情報量をできるだけ少なくすることを目的とする。
【課題を解決するための手段】
【００３７】
[1]上記の目的を達成するため、本発明に係る信号伝送方法(又は装置)は、リングネットワーク上のチャネル群の内の所定チャネルに対するスケルチ情報用オーバヘッドに設定されたNUT情報を抽出する第１ステップ(又は手段)と、該抽出したNUT情報に基づいて該所定チャネルに対するNUTテーブルを構築する第２ステップ(又は手段)とを備えたことを特徴とする。
【００３８】
これを、図1に示す本発明の動作原理を用いて説明すると、本発明に係る信号伝送方法及び装置は、リングネットワーク上の伝送装置N1〜N4の各々において実現されており、例えば伝送装置N3(伝送装置N1、N2、及びN4についても同様)において、第１ステップ(又は手段)では、East方向(E)より受信した所定チャネルに対するスケルチ情報用オーバヘッドに含まれるNUT情報を抽出する。
【００３９】
そして、第２ステップ(又は手段)では、抽出したNUT情報に基づいて該所定チャネルに対するNUTテーブルを構築する。
【００４０】
このように、本発明の信号伝送方法(又は装置)においては、リングネットワーク上のチャネル群の内の所定チャネルに対するスケルチ情報用オーバヘッドのみを使用してNUT情報を設定し、各伝送装置が、該スケルチ情報用オーバヘッドから抽出した該NUT情報に基づいて該所定チャネルに対するNUTテーブルを構築することを可能にしている。
【００４１】
[2]本発明に係る信号伝送方法(又は装置)は、上記[1]において、該NUT情報を外部から入力してスケルチ情報用オーバヘッドに設定し、このスケルチ情報用オーバヘッドを含むフレームを、該リングネットワーク上に送信する第３ステップ(又は手段)をさらに備えることができる。
【００４２】
すなわち、上記[1]と同様に図1を用いて説明すると、例えばユーザ要求を受けた伝送装置N2において、第３ステップ(又は手段)では、該ユーザ要求に基づき、設定したNUT情報によりNUTテーブルを構築すると共に、該NUT情報をスケルチ情報用オーバヘッドに設定して、このスケルチ情報用オーバヘッドを含むフレームをリングネットワーク上に送信する。
【００４３】
このように、NUT情報を外部から入力してリングネットワーク上に送信することができる。
【００４４】
[3]本発明に係る信号伝送方法(又は装置)は、上記[2]において、該スケルチ情報用オーバヘッドを含むフレームを、該リングネットワークから受信して転送する第４ステップ(又は手段)を備えることができる。
【００４５】
すなわち、図1を用いて説明すると、例えば伝送装置N3において、第４ステップ(又は手段)では、NUT情報が設定されたスケルチ情報用オーバヘッドを含むフレームをリングネットワーク(East方向(E))から受信すると共に、West方向(W)側に位置する伝送装置N4に対して転送する。
【００４６】
また、同様に伝送装置N4及びN1においては、第４ステップ(又は手段)が、それぞれNUT情報が設定されたスケルチ情報用オーバヘッドを含むフレームをリングネットワークから受信すると共に、伝送装置N1及びN2に転送する。
【００４７】
このように、NUT情報が設定されたスケルチ情報用オーバヘッドを含むフレームを中継方向側に順次転送することで、全伝送装置N1〜N4間でNUT情報を共有し、各伝送装置が、同一のNUTテーブルを構築することが可能である。
【００４８】
[4]本発明に係る信号伝送方法(又は装置)は、上記[1]において、該NUT情報が、該スケルチ情報用オーバヘッド中の送信元伝送装置ID及び宛先伝送装置IDで構成され、該送信元伝送装置IDと宛先伝送装置IDとが等しいとき、該所定チャネルのBLSR切替を無効にする情報とすることができる。
【００４９】
すなわち、図18に示したスケルチ情報用オーバヘッドのフォーマットは、スケルチテーブルを構築するには信号を挿入する送信元の伝送装置の識別情報と信号を分岐出力する宛先の伝送装置の識別情報とが必要であるため、両識別情報を設定するための送信元伝送装置ID及び宛先伝送装置ID領域を必ず備えている。
【００５０】
このように、NUT情報を、該スケルチ情報用オーバヘッド中の送信元伝送装置ID及び宛先伝送装置IDで構成し、且つ送信元伝送装置IDと宛先伝送装置IDが同一となるように設定することで、所定チャネルのBLSR切替を無効にする情報とすることができる。
【００５１】
[5]本発明に係る信号伝送方法(又は装置)は、上記[4]において、該NUT情報は、該送信元伝送装置ID及び宛先伝送装置IDが所定の値の場合、該所定チャネルのリング切替を無効にする情報としても良い。
【００５２】
[6]本発明に係る信号伝送方法(又は装置)は、上記[4]において、該NUT情報は、該送信元伝送装置ID及び宛先伝送装置IDが所定の値の場合、該所定チャネルのスパン切替を無効にする情報としても良い。
【００５３】
[7]本発明に係る信号伝送方法(又は装置)は、上記[4]において、該NUT情報が、該送信元伝送装置ID及び宛先伝送装置IDの割当ビット数による組合せ数分の種類の情報を含むことができる。
【００５４】
すなわち、例えば送信元伝送装置ID及び宛先伝送装置IDの割当ビット数が、それぞれ4ビットである場合、該送信元伝送装置IDと宛先伝送装置IDとが等しくなる組合せは、(送信元伝送装置ID, 宛先伝送装置ID)＝(0,0),(1,1),…,(15,15)の16通りであり、NUT情報として16種類の情報を設定することが可能である。
【００５５】
[8]本発明に係る信号伝送方法(又は装置)は、上記[4]において、該NUT情報が、該スケルチ情報用オーバヘッド中の送信元伝送装置ID及び宛先伝送装置IDで構成され、該送信元伝送装置IDと宛先伝送装置IDとが等しくないとき、該NUT情報はスケルチ情報を構成し、該スケルチ情報を、該所定チャネルに対応して該NUTテーブルに設定する第３ステップをさらに備えることができる。
【００５６】
すなわち、上記[4]において、スケルチ情報用オーバヘッド中の送信元伝送装置IDと宛先伝送装置IDとが等しくなるようにNUT情報を設定したが、送信元伝送装置IDと宛先伝送装置IDとが等しくないときは、スケルチ情報を構成するように設定することができる。  
【００５７】
この場合は、該送信信元伝送装置ID及び宛先伝送装置IDに、それぞれ、信号を挿入する伝送装置の伝送装置ID及び信号を分岐出力する伝送装置の伝送装置IDを設定する。
【００５８】
第３ステップ(又は装置)が、該スケルチ情報を受信したとき、該スケルチ情報に基づいて該所定チャネルに対応して該NUTテーブル内のレコードに該スケルチ情報を設定する。
【００５９】
尚、スケルチテーブルの構築はNUTテーブルの構築とは別途行えばよく、スケルチ情報用オーバヘッドがこの両方の用途で同時に使用されることはないため、スケルチ情報用オーバヘッドを有効利用してスケルチ情報又はNUT情報を設定している。
【００６０】
このように、NUTテーブルには、NUT情報に加えてさらにスケルチ情報を設定することが可能である。例えばリングネットワーク上で複数の回線障害が発生しBLSR切替では信号救済を行えない場合には、このスケルチ情報に基づいてスケルチ処理を実行することができる。
【００６１】
[9]本発明に係る信号伝送方法(又は装置)は、上記[3]において、該第３ステップ(又は手段)が、該NUT情報が全伝送装置に対して伝達されたか否かを、該送信したNUT情報と該リングネットワークを周回して戻って来たNUT情報とが同一か否かで判断し、両NUT情報が同一でない場合は、各伝送装置の該NUTテーブルの設定を解除するように該NUT情報を設定し直して送信するステップ(又は手段)を含むことができる。
【００６２】
すなわち、上記[2]の該第３ステップ(又は手段)は、NUT情報を送信した後、上記[3]の該第４ステップ(又は手段)によってリングネットワーク上の全伝送装置に該NUT情報が伝達されて、リングネットワークを周回して戻って来るのを待つ。該送信したNUT情報とリングネットワークを周回して戻って来たNUT情報とが同一か否かを判定し、両NUT情報が同一でない場合は正しく伝達されなかったと判断して、各伝送装置の該NUTテーブルの設定を解除するように該NUT情報を設定し直して送信する。
【００６３】
このように、NUT情報が正しく伝達されずに一部の伝送装置間で異なるNUTテーブル設定となってしまう場合であっても、これを解除するためのNUT情報を再送信することにより各伝送装置間で同一のNUTテーブルを構築することが可能である。
【００６４】
[10]本発明に係る信号伝送方法(又は装置)は、上記[3]において、該第３ステップ(又は手段)が、所定時間が経過しても該NUT情報が該リングネットワークを周回して戻って来ない場合は、各伝送装置の該NUTテーブルの設定を解除するように該NUT情報を設定し直して送信するステップ(又は手段)を含むことができる。
【００６５】
すなわち、上記[9]では、リングネットワーク上の全伝送装置にNUT情報が伝達されることを、送信したNUT情報とリングネットワークを周回して戻って来たNUT情報とが同一か否かで判定していたが、本発明[10]では、所定時間が経過してもリングネットワークを周回して戻って来るNUT情報が得られない場合に、NUT情報が正しく伝達されなかったと判断して、各伝送装置の該NUTテーブルの設定を解除するように該NUT情報を設定し直して送信する。
【００６６】
このように、NUT情報がリングネットワーク上の全伝送装置に正しく伝達されず、NUT情報が伝達された伝送装置とNUT情報が伝達されない伝送装置との間で異なるNUTテーブル設定になってしまう場合であっても、これを解除するためのNUT情報を再送信することにより各伝送装置間で同一のNUTテーブルを構築することが可能である。
【発明の効果】
【００６７】
本発明によれば、リングネットワーク上のチャネル群の内の所定チャネルに対するスケルチ情報用オーバヘッドのみを使用してNUT情報を設定し、各伝送装置が、該スケルチ情報用オーバヘッドから抽出した該NUT情報に基づいて該所定チャネルに対するNUTテーブルを構築することが可能であり、NUT情報を伝達するために追加領域やデータ領域の使用を必要とせず、少ない伝送データ量でその伝達を行うことができる。
【００６８】
さらに、リングネットワーク上で管理する伝送装置の増設又はチャネルの増設を行った場合でも、NUT情報を伝達するための伝送データ量は変化せず一定であるため、リングネットワーク内リソースの圧迫及び各伝送装置における処理負荷を防止することができる。
【発明を実施するための最良の形態】
【００６９】
本発明に係る信号伝送方法及び装置は、図1について説明した通り、伝送装置N1〜N4の各々において実現されており、その実施例であるNUTテーブルの構築手順例、NUTテーブル構成例、NUTテーブル設定解除動作例、及び構築したNUTテーブルの設定に基づく信号伝送動作例を、図2〜11を参照して以下に説明する。
【００７０】
NUTテーブル構築手順/構成例: 図2〜6
まず、図2(1)に示すスケルチ情報用オーバヘッド送信元伝送装置とは、例えば図1に示したリングネットワーク構成における伝送装置N2に対応しており、外部から入力されたユーザ要求、すなわちNUT情報に基づいてNUTテーブルを構築すると共に、そのNUT情報をスケルチ情報用オーバヘッドに設定してリングネットワーク上に送出する伝送装置を示す。
【００７１】
また、同図(2)に示すスケルチ情報用オーバヘッド受信伝送装置とは、例えば図1に示したリングネットワーク構成における伝送装置N1,N3,N4に対応しており、すなわちリングネットワークからNUT情報が設定されたスケルチ情報用オーバヘッドを受信し、抽出したNUT情報に基づいてNUTテーブルを構築すると共に、さらに受信したスケルチ情報用オーバヘッドを転送する伝送装置を示す。尚、以下の説明では、同図(1)及び(2)は、それぞれ一例として伝送装置N2及びN3を示すものとする。
【００７２】
以下、所定チャネルに対してスパン切替又はリング切替を無効に設定する場合、或いはスケルチ情報を設定する場合のNUTテーブル構築手順例及びこれによって構築されるNUTテーブルの構成例を図2〜6を参照して説明する。
【００７３】
[1]スケルチ情報用オーバヘッド送信元伝送装置におけるNUTテーブル構築手順:図2(1)
(1)スパン切替無効設定：
図1のリングネットワークにおいて、スケルチ情報用オーバヘッド送信元伝送装置N2は、ユーザから要求を受けると(ステップS1)、この要求がスパン切替を無効に設定するための要求(図3(1)に示すNUT情報)であるか否かを判定し(ステップS2)、スパン切替無効の要求であれば、NUTテーブルの内の自装置(この例では伝送装置N2)に対応するレコードをスパン切替無効に設定する(ステップS3)。
【００７４】
ステップS3で設定されるNUTテーブル構成例が、図4に示されており、このNUTテーブル構成例では、図1に示したリングネットワーク構成において、チャネル001に対して伝送装置N2のWest方向(W)側と伝送装置N3のEast方向(E)側との区間をスパン切替無効に設定した場合を示している。尚、図4に示されるS1〜S26は、それぞれ図2に示すステップS1〜S26と対応している。
【００７５】
ここで、他の伝送装置N3,N4,N1に対しては、図3(1)のNUT情報設定に示すように、スパン切替無効設定はスケルチ情報用オーバヘッドの送信元伝送装置(SRC) ID及び宛先伝送装置(DST) IDに、それぞれ“13”を設定(以下の説明においては、単に“13/13”と記載する。)することによって実行されるので、伝送装置N2は、伝送装置N3の中継方向に対してNUT情報“13/13”を送信する(ステップS4)。
【００７６】
一方、スパン切替無効の設定は、リングネットワーク全体でなく特定区間、すなわち例えば図1に示すリングネットワーク構成における伝送装置N2-N3間だけに対して行えば良いが、その特定区間はリング切替用としても使用できないことを意味するため、スパン切替無効に設定されるチャネルは、伝送装置N3との間でリング切替無効に設定しなければならない。
【００７７】
そこで、図4に示すようにNUTテーブルの内の自装置に対応するレコードに、リング切替無効も設定する(ステップS5)。
【００７８】
この後、伝送装置N2は、NUT情報の周回待ち動作(ステップS10〜S15)に入るが、これについては後述する。
【００７９】
(2)リング切替無効設定：
スケルチ情報用オーバヘッド送信元伝送装置N2は、ユーザから、リング切替を無効に設定するための要求(図3(1)に示すNUT情報)を受ける(ステップS1)と、ステップS2を経由してステップS7に進み、リング切替無効の要求と判定してステップS5に進む。
【００８０】
このステップS5では、NUTテーブルの内の自装置に対応するレコードをリング切替無効に設定する。
【００８１】
そして、伝送装置N1-N2間、伝送装置N3-N4間、及び伝送装置N4-N1間でのリング切替無効設定は、図3(1)に示すように、スケルチ情報用オーバヘッドの送信元伝送装置(SRC) ID及び宛先伝送装置(DST) IDに、それぞれ“15”を設定(以下の説明においては、単に“15/15”と記載する。)することによって実行されるので、伝送装置N2は、伝送装置N3の中継方向に対してNUT情報“15/15”を送信する(ステップS6)。
【００８２】
この場合のNUTテーブルは、図5に示されており、この例では図1に示したリングネットワーク構成において、チャネル002に対する各伝送装置間のリング切替を無効に設定した場合を示している。尚、図5に示されるS1〜S26は、それぞれ図2に示すステップS1〜S26と対応している。
【００８３】
この後、伝送装置N2は、NUT情報の周回待ち動作(ステップS10〜S15)に入る。
【００８４】
以上のように、リングネットワーク上のチャネル群の内の所定チャネルに対するスケルチ情報用オーバヘッドのみを使用してスパン切替及び/又はリング切替を無効に設定するためのNUT情報を伝達し、各伝送装置が、それぞれ、そのNUT情報に基づいてNUTテーブルを構築することが可能となる。
【００８５】
(3)スケルチ情報設定：
スケルチ情報用オーバヘッド送信元伝送装置N2は、ユーザから、スケルチ情報を設定するための要求(図3(2)に示すスケルチ情報)を受ける(ステップS1)と、ステップS2及びS7を経由してステップS8に進む。
【００８６】
このステップS8では、NUTテーブルの内の自装置に対応するレコードにスケルチ情報を設定する。
【００８７】
この場合のNUTテーブルが、図6に示されており、この場合のNUTテーブルは、上記のスパン切替無効設定で構築されたNUTテーブル(図4)と、リング切替無効設定で構築されたNUTテーブル(図5)に、さらにチャネル001に対してスケルチ情報を設定したものであり、設定されているスケルチ情報は、図17に示したスケルチテーブルのチャネル001と同一の設定を行っている。但し、図を簡略化するため、スパン切替無効設定は省略してある。
【００８８】
尚、上記においては、NUTテーブルを構築した後、NUTテーブルにスケルチ情報を付加するようにしたが、これとは逆に、スケルチテーブルを構築した後、スケルチテーブルにNUT情報を付加するようにしても良い。
【００８９】
この後、図3(2)のスケルチ情報に示すように、スケルチ情報用オーバヘッド(図18参照)の送信元伝送装置(SRC)ID及び宛先伝送装置(DST) IDに、それぞれ、信号をAddする伝送装置ID及び信号をDropする伝送装置IDを設定して中継方向側に位置する伝送装置に対して送信する(ステップS9)。ここで、送信元伝送装置(SRC)ID及び宛先伝送装置(DST) IDは、それぞれ異なる値であれば何でもよい。
【００９０】
[2]スケルチ情報用オーバヘッド受信伝送装置におけるNUTテーブル構築手順:図2(2)
(1)スパン切替無効設定：
スケルチ情報用オーバヘッド受信伝送装置N3は、リングネットワークから、スケルチ情報用オーバヘッドを受信する(ステップS21)。受信したスケルチ情報用オーバヘッドの送信元伝送装置ID及び宛先伝送装置IDが等しいか否かを判定し(ステップS22)、等しい場合はNUT情報と判断し、且つ両伝送装置IDが、“13/13”である場合はスパン切替無効を示すNUT情報であると判定し(ステップS23)、NUTテーブルの内の自装置に対応するレコードをスパン切替無効に設定する(ステップS24)。このスパン切替無効設定は、上述したステップS3と同様にして、図4に示すようなNUTテーブルを構築する。
【００９１】
このように、NUTテーブルへのスパン切替無効の設定、すなわち、リングネットワーク上の特定区間の伝送装置(例えば図1に示すリングネットワーク構成における伝送装置N2及びN3)に対応するNUTテーブルの設定は完了したが、スパン切替無効に設定されるチャネルは、全伝送装置間でリング切替無効に設定しなければならないため、上述したステップS5と同様にして、NUTテーブルの内の自装置に対応するレコードにリング切替無効も設定する(ステップS25)。
【００９２】
そして、図3(1)に示すNUT情報設定に従って、リング切替無効を示すNUT情報“15/15”をスケルチ情報用オーバヘッドに設定し、中継方向側に位置する伝送装置に対して転送する(ステップS26)。
【００９３】
(2)リング切替無効設定：
一方、転送されたスケルチ情報用オーバヘッドを受信(ステップS21)した伝送装置N3においては、受信したスケルチ情報用オーバヘッドの送信元伝送装置ID及び宛先伝送装置IDが等しい場合はNUT情報と判断し(ステップS22)、且つ両伝送装置IDが、“15/15”である場合はリング切替無効を示すNUT情報であると判断する(ステップS23,S27)。
【００９４】
尚、両伝送装置IDが、“15/15”でない場合は、後述する設定解除処理(ステップS28)を実行する。
【００９５】
そして、図2のステップS5と同様に、NUTテーブルの内の自装置に対応するレコードにリング切替無効を設定し(ステップS25)、さらに受信したスケルチ情報用オーバヘッドを中継方向側に位置する伝送装置に対して転送する(ステップS26)。
【００９６】
(3)スケルチ情報設定:
スケルチ情報用オーバヘッド受信伝送装置N3は、リングネットワークから、スケルチ情報用オーバヘッドを受信する(ステップS21)。受信したスケルチ情報用オーバヘッドの送信元伝送装置ID及び宛先伝送装置IDが等しくない場合はスケルチ情報と判定し(ステップS22)、NUTテーブルの内の自装置に対応するレコードにスケルチ情報を、上記ステップS8と同様にして設定する(ステップS29)。受信したスケルチ情報用オーバヘッドをさらに中継方向側に位置する伝送装置に対して転送する(ステップS30)。この転送動作は、上記のステップS9と同様に行うことができる。
【００９７】
[3]NUT情報の周回待ち動作：ステップS10〜S12
スケルチ情報用オーバヘッド送信元伝送装置N2は、ステップS6で送信したNUT情報を含むスケルチ情報用オーバヘッドが、リングネットワーク上の全伝送装置に伝達されて周回して戻って来るのを待つ(ステップS10)。
【００９８】
スケルチ情報用オーバヘッドを受信したとき(ステップS11)、NUT情報が正しく伝達されて全伝送装置間でNUTテーブルにリング切替無効が設定されたか否か、すなわち戻って来たNUT情報が“15/15”であるかを判定する(ステップS12)。この結果、NUT情報が正しく伝達されたと判断した場合、ユーザ要求に対する正常応答を返却する(ステップS13)。
【００９９】
NUT情報が正しく伝達されたなかった場合に実行する設定解除送信処理(ステップS14)、及びステップS11において、該スケルチ情報用オーバヘッドが一定時間受信できなかったときの設定解除送信処理(ステップS15)についても後述する。
【０１００】
[4]NUTテーブル設定解除動作：図7及び8
以下、NUT情報が全伝送装置に伝達されたが、正しいNUT情報として伝達されなかった場合のスケルチ情報用オーバヘッド送信元伝送装置及び受信伝送装置におけるNUTテーブルの設定解除動作について、それぞれ説明する。
【０１０１】
(1)図2(1)のステップS14(図7(1))の設定解除動作：
スケルチ情報用オーバヘッド送信元伝送装置N2において、NUT情報が正しく伝達されなかった場合、ユーザ要求に対する異常応答を返却し(ステップS14_1)、NUTテーブルの内の自装置に対応するレコードの設定値を元に戻す(ステップS14_2)。
【０１０２】
そして、スパン切替の無効設定に失敗した場合は、図3(1)の NUT情報設定に従って、スパン切替有効を示すようにスケルチ情報用オーバヘッドの送信元伝送装置(SRC) ID及び宛先伝送装置(DST) IDに、それぞれ“12”を設定(以下の説明においては、単に“12/12”と記載する。)して中継方向側に位置する伝送装置N3に対して送信する(ステップS14_3,14_4)。
【０１０３】
一方、リング切替の無効設定に失敗した場合も、同様に、リング切替有効を示すようにスケルチ情報用オーバヘッドの送信元伝送装置(SRC) ID及び宛先伝送装置(DST) IDに、それぞれ“14”を設定(以下の説明においては、単に“14/14”と記載する。)して中継方向側に位置する伝送装置N3に対して送信する(ステップS14_3,14_5)。
【０１０４】
(2)図2(1)のステップS15(図8)の設定解除動作：
所定の時間が経過してもNUT情報が周回して戻って来ない場合は(ステップS15_1)、上記のNUTテーブル設定解除動作(1)(ステップS14_1〜S14_5)と同様の設定解除処理を行う(ステップS15_2〜15_7)。
【０１０５】
一方、所定時間内である場合は、再びスケルチ情報用オーバヘッドの受信待ち状態、すなわち図2のステップS9に遷移する。
【０１０６】
(3)図2(2)のステップS28(図7(2))の設定解除動作：
受信したスケルチ情報用オーバヘッドに設定されたNUT情報が、スパン切替有効“12/12”である場合は(ステップS28_1)、NUTテーブルの内の自装置に対応するレコードの設定値を元に(スパン切替有効及びリング切替有効に)戻し(ステップS28_2,28_3)、さらにスケルチ情報用オーバヘッドにリング切替有効“14/14”を設定して中継方向側に位置する伝送装置に対して転送する(ステップS28_4)。
【０１０７】
一方、受信したNUT情報が、リング切替有効“14/14”である場合は(ステップS28_5)、NUTテーブルの内の自伝送装置に対応するレコードの設定値を元に(リング切替有効に)戻し(ステップS28_2,28_3)、さらにスケルチ情報用オーバヘッドを中継方向側に位置する伝送装置に対して転送する(ステップS28_4)。
【０１０８】
また、受信したNUT情報がスパン切替有効及びリング切替有効のいずれでもない場合は、異常と見なして特に処理を行わない(ステップS28_6)。
【０１０９】
以上のように、NUT情報が全伝送装置に正しく伝達されずに一部の伝送装置間で異なるNUTテーブル設定となってしまう場合であっても、これを解除して各伝送装置間で同一のNUTテーブルの設定に戻すことができる。
【０１１０】
[5]信号伝送動作例：図9〜11
次に、上記のように構築したNUTテーブルの設定に基づく信号伝送動作例を図9〜11を参照して説明する。尚、以下の説明においては、図6に示したNUTテーブルを用いるものとする。
【０１１１】
(1)正常動作時の信号伝送動作例：図9
図9は、図12に示したBLSR(2F)を用いたリングネットワーク構成において、実線(a)で示すように、チャネル001に対するSONET信号SSが伝送装置N1から挿入され、伝送装置N4を経由して伝送装置N3で分岐出力されると同時に、一点鎖線(b)で示すように、チャネル002に対するIPパケットIPPが伝送装置N1から挿入され、自律的に伝送装置N4を経由するか又は伝送装置N2を経由するかを決定して伝送装置N3で分岐出力されている場合を扱っている。
【０１１２】
ここでは、回線障害は発生していないため、当然BLSR切替は行われずNUTテーブルの設定は信号伝送に何ら作用していない。
【０１１３】
(2)単数障害発生時の信号伝送動作例：図10
次に、図10は、図9に示したリングネットワーク構成において、伝送装置N1-N4間で光ファイバFB1に回線障害CF1が発生した場合を示している。
【０１１４】
この回線障害CF1が発生すると、現用帯域WB及び予備帯域PBの両方が使用できなくなるため、伝送装置N1及びN4がこの回線障害CF1を認識すると共に、NUTテーブルのNUT情報に基づいて信号救済を行う。
【０１１５】
図6に示されるNUTテーブルのチャネル001に対するNUT情報には、BLSR切替が有効に設定されているため、リング切替が実行され、SONET信号SSは、図10の点線(c)で示すように、伝送装置N1→伝送装置N2→伝送装置N3→伝送装置N4→伝送装置N3という経路で伝達される。
【０１１６】
また、図6に示されるNUTテーブルのチャネル002に対するNUT情報には、リング切替が無効に設定されているため、リング切替は実行されない。
【０１１７】
従って、IPパケットIPPは、図10の一点鎖線(b)で示すように、BLSR切替によって混乱を受けることなく、自律的に伝送装置N1→伝送装置N2→伝送装置N3という経路を決定して伝達される。
【０１１８】
(3)複数障害発生時の信号伝送動作例：図11
次に、図11は、図10に示したリングネットワーク構成において、さらに伝送装置N1-N2間で光ファイバFB2に回線障害CF2が発生した場合を示している。
【０１１９】
この場合は、BLSR切替による信号救済を行うことはできないが、図6に示されるNUTテーブルのチャネル001に対してはスケルチ情報が設定されているため、図11の点線(c)で示すように、SONET信号SSが、伝送装置N2及びN4でループバックされて伝送装置N3に到達してしまう場合であっても、NUTテーブルに設定されるスケルチ情報に基づいて伝送装置N1及びN3がスケルチ処理を実行し、それぞれ挿入及び分岐出力信号を“ALL1”信号で潰すことができる。
【０１２０】
また、図6に示されるNUTテーブルのチャネル002に対するNUT情報には、リング切替が無効に設定されているため、BLSR切替は実行されない。
【０１２１】
従って、IPパケットIPPは、BLSR切替によって混乱を受けることなく、自律的にその伝達を停止する。
【０１２２】
尚、上記実施例によって本発明は限定されるものではなく、特許請求の範囲の記載に基づき、当業者によって種々の変更が可能なことは明らかである。
【０１２３】
（付記１）
リングネットワーク上のチャネル群の内の所定チャネルに対するスケルチ情報用オーバヘッドに設定されたNUT情報を抽出する第１ステップと、
該抽出したNUT情報に基づいて該所定チャネルに対するNUTテーブルを構築する第２ステップと、
を備えたことを特徴とする信号伝送方法。
（付記２）付記１において、
該NUT情報を外部から入力してスケルチ情報用オーバヘッドに設定し、このスケルチ情報用オーバヘッドを含むフレームを、該リングネットワーク上に送信する第３ステップをさらに備えたことを特徴とする信号伝送方法。
（付記３）付記２において、
該スケルチ情報用オーバヘッドを含むフレームを、該リングネットワークから受信して転送する第４ステップを備えたことを特徴とする信号伝送方法。
（付記４）付記１において、
該NUT情報が、該スケルチ情報用オーバヘッド中の送信元伝送装置ID及び宛先伝送装置IDで構成され、該送信元伝送装置IDと宛先伝送装置IDとが等しいとき、該所定チャネルのBLSR切替を無効にする情報であることを特徴とする信号伝送方法。
（付記５）付記４において、
該NUT情報は、該送信元伝送装置ID及び宛先伝送装置IDが所定の値の場合、該所定チャネルのリング切替を無効にする情報であることを特徴とする信号伝送方法。
（付記６）付記４において、
該NUT情報は、該送信元伝送装置ID及び宛先伝送装置IDが所定の値の場合、該所定チャネルのスパン切替を無効にする情報であることを特徴とする信号伝送方法。
（付記７）付記４において、
該NUT情報が、該送信元伝送装置ID及び宛先伝送装置IDの割当ビット数による組合せ数分の種類の情報を含むことを特徴とする信号伝送方法。
（付記８）付記４において、
該NUT情報が、該スケルチ情報用オーバヘッド中の送信元伝送装置ID及び宛先伝送装置IDで構成され、該送信元伝送装置IDと宛先伝送装置IDとが等しくないとき、該NUT情報はスケルチ情報を構成し、該スケルチ情報を、該所定チャネルに対応して該NUTテーブルに設定する第３ステップをさらに備えたことを特徴とする信号伝送方法。
（付記９）付記３において、
該第３ステップが、該NUT情報が全伝送装置に対して伝達されたか否かを、該送信したNUT情報と該リングネットワークを周回して戻って来たNUT情報とが同一か否かで判断し、両NUT情報が同一でない場合は、各伝送装置の該NUTテーブルの設定を解除するように該NUT情報を設定し直して送信するステップを含むことを特徴とする信号伝送方法。
（付記１０）付記３において、
該第３ステップが、所定時間が経過しても該NUT情報が該リングネットワークを周回して戻って来ない場合は、各伝送装置の該NUTテーブルの設定を解除するように該NUT情報を設定し直して送信するステップを含むことを特徴とする信号伝送方法。
（付記１１）
リングネットワーク上のチャネル群の内の所定チャネルに対するスケルチ情報用オーバヘッドに設定されたNUT情報を抽出する第１手段と、
該抽出したNUT情報に基づいて該所定チャネルに対するNUTテーブルを構築する第２手段と、
を備えたことを特徴とする信号伝送装置。
（付記１２）付記１１において、
該NUT情報を外部から入力してスケルチ情報用オーバヘッドに設定し、このスケルチ情報用オーバヘッドを含むフレームを、該リングネットワーク上に送信する第３手段をさらに備えたことを特徴とする信号伝送装置。
（付記１３）付記１２において、
該スケルチ情報用オーバヘッドを含むフレームを、該リングネットワークから受信して転送する第４手段を備えたことを特徴とする信号伝送装置。
（付記１４）付記１１において、
該NUT情報が、該スケルチ情報用オーバヘッド中の送信元伝送装置ID及び宛先伝送装置IDで構成され、該送信元伝送装置IDと宛先伝送装置IDとが等しいとき、該所定チャネルのBLSR切替を無効にする情報であることを特徴とする信号伝送装置。
（付記１５）付記１４において、
該NUT情報は、該送信元伝送装置ID及び宛先伝送装置IDが所定の値の場合、該所定チャネルのリング切替を無効にする情報であることを特徴とする信号伝送装置。
（付記１６）付記１４において、
該NUT情報は、該送信元伝送装置ID及び宛先伝送装置IDが所定の値の場合、該所定チャネルのスパン切替を無効にする情報であることを特徴とする信号伝送装置。
（付記１７）付記１４において、
該NUT情報が、該送信元伝送装置ID及び宛先伝送装置IDの割当ビット数による組合せ数分の種類の情報を含むことを特徴とする信号伝送装置。
（付記１８）付記１４において、
該NUT情報が、該スケルチ情報用オーバヘッド中の送信元伝送装置ID及び宛先伝送装置IDで構成され、該送信元伝送装置IDと宛先伝送装置IDとが等しくないとき、該NUT情報はスケルチ情報を構成し、該スケルチ情報を、該所定チャネルに対応して該NUTテーブルに設定する第３手段をさらに備えたことを特徴とする信号伝送装置。
（付記１９）付記１３において、
該第３手段が、該NUT情報が全伝送装置に対して伝達されたか否かを、該送信したNUT情報と該リングネットワークを周回して戻って来たNUT情報とが同一か否かで判断し、両NUT情報が同一でない場合は、各伝送装置の該NUTテーブルの設定を解除するように該NUT情報を設定し直して送信する手段を含むことを特徴とする信号伝送装置。
（付記２０）付記１３において、
該第３手段が、所定時間が経過しても該NUT情報が該リングネットワークを周回して戻って来ない場合は、各伝送装置の該NUTテーブルの設定を解除するように該NUT情報を設定し直して送信する手段を含むことを特徴とする信号伝送装置。
【図面の簡単な説明】
【０１２４】
【図１】本発明に係る信号伝送方法及び装置の動作原理を示したブロック図である。
【図２】本発明に係る信号伝送方法及び装置における実施例としてNUTテーブル構築手順を示したフローチャート図である。
【図３】本発明に係る信号伝送方法及び装置に用いられるNUT情報及びスケルチ情報の設定例を示した図である。
【図４】本発明に係る信号伝送方法及び装置におけるNUTテーブル構築例(1)(スパン切替無効設定時)を示した図である。
【図５】本発明に係る信号伝送方法及び装置におけるNUTテーブル構築例(2)(リング切替無効設定時)を示した図である。
【図６】本発明に係る信号伝送方法及び装置におけるNUTテーブル構築例(3)(NUT/スケルチ情報混合設定時)を示した図である。
【図７】本発明に係る信号伝送方法及び装置におけるNUTテーブルの設定解除動作(1)を示したフローチャート図である。
【図８】本発明に係る信号伝送方法及び装置におけるNUTテーブルの設定解除動作(2)を示したフローチャート図である。
【図９】本発明に係る信号伝送方法及び装置における伝送動作例(1)(通常動作時)を示したブロック図である。
【図１０】本発明に係る信号伝送方法及び装置における伝送動作例(2)(単一障害発生時)を示したブロック図である。
【図１１】本発明に係る信号伝送方法及び装置における伝送動作例(3)(複数障害発生時)を示したブロック図である。
【図１２】リングネットワークにおける従来から知られたリング切替を示したブロック図である。
【図１３】リングネットワークにおける従来から知られたスパン切替を示したブロック図である。
【図１４】リングネットワークにおける従来から知られたIPパケットルーティングを示したブロック図である。
【図１５】従来のNUTテーブル構築例を示した図である。
【図１６】従来のスケルチ処理を示したブロック図である。
【図１７】従来のスケルチテーブル構築例を示した図である。
【図１８】本発明及び従来例に用いられるスケルチ情報用オーバヘッドのフォーマットを示した図である。
【符号の説明】
【０１２５】
N1〜N4  伝送装置
FB, FB1〜FB4  光ファイバ
WB  現用帯域
PB  予備帯域
CF1〜CF3  回線障害
SS  SONET信号
IPP  IPパケット
OH  スケルチ情報用オーバヘッド
図中、同一符号は同一又は相当部分を示す。
【図１】
2007088961.tif 000003
【図２】
2007088961.tif 000004
【図３】
2007088961.tif 000005
【図４】
2007088961.tif 000006
【図５】
2007088961.tif 000007
【図６】
2007088961.tif 000008
【図７】
2007088961.tif 000009
【図８】
2007088961.tif 000010
【図９】
2007088961.tif 000011
【図１０】
2007088961.tif 000012
【図１１】
2007088961.tif 000013
【図１２】
2007088961.tif 000014
【図１３】
2007088961.tif 000015
【図１４】
2007088961.tif 000016
【図１５】
2007088961.tif 000017
【図１６】
2007088961.tif 000018
【図１７】
2007088961.tif 000019
【図１８】
2007088961.tif 000020